(57)【要約】【課題】生産性を向上させ且つ製作コストの上昇を抑えることが可能な外装ケースを提供すること。【解決手段】矩形状の第１板部材と複数の締結部材により前記第１板部材に結合された矩形状の第２板部材を有する外装ケースにおいて、前記第１板部材は、一端部に前記第２板部材を結合するための前記外装ケース内側方向に突出する第１フランジ部と第１突出部を有し、前記第１突出部は、前記第１フランジ部近傍において前記第１フランジ部が突出する方向に突出し、前記第２板部材の一端部は、前記第１フランジ部と前記第１突出部の間に前記第１フランジ部と平行状に配設され、且つ前記第１突出部近傍に前記第１突出部側に突出する第２突出部を有し、前記第１フランジ部側から前記締結部材を挿通させて前記第１フランジ部に前記第２板部材を結合するときに、前記第２突出部が前記第１突出部に当接することより前記第２板部材の前記外装ケース内側方向への移動を規制する。【選択図】図４
2018071817.tif 000002
【特許請求の範囲】
【請求項１】
矩形状の第１板部材と、複数の締結部材により前記第１板部材に結合された矩形状の第２板部材を有する外装ケースにおいて、
前記第１板部材は、一端部に前記第２板部材を結合するための前記外装ケース内側方向に突出する第１フランジ部と第１突出部を有し、
前記第１突出部は、前記第１フランジ部近傍において前記第１フランジ部が突出する方向に突出し、
前記第２板部材の一端部は、前記第１フランジ部と前記第１突出部の間に前記第１フランジ部と平行状に配設され、且つ前記第１突出部近傍に前記第１突出部側に突出する第２突出部を有し、
前記第１フランジ部側から前記締結部材を挿通させて前記第１フランジ部に前記第２板部材を結合するときに、前記第２突出部が前記第１突出部に当接することより前記第２板部材の前記外装ケース内側方向への移動が規制されることを特徴とする外装ケース。
【請求項２】
前記第１板部材は、前記第１，第２板部材と夫々直交するように設けられた矩形状の第３板部材を有し、
前記第３板部材は、その一端部に前記第２板部材と結合するための前記外装ケース内側方向に突出する第２フランジ部を有し、
前記第２板部材の前記外装ケースの外側面部に取付金具片が装着されて前記第２板部材と前記取付金具片により前記第２フランジ部が挟持され、
前記第２フランジ部側から前記締結部材を挿通させて前記第２フランジ部に前記第２板部材を結合するときに、前記第２フランジ部が挟持されたことにより前記第２板部材の前記外装ケース内側方向への移動が規制されることを特徴とする請求項１に記載の外装ケース。
【請求項３】
前記第１突出部は、前記外装ケース外側において前記第１板部材に他の部材を取り付けるための締結部材であることを特徴とする請求項１または２に記載の外装ケース。
【請求項４】
前記第１突出部は、前記外装ケース内側において前記第１板部材に他の部材を取り付けるために、前記外装ケース内側に突出するように前記第１板部材と一体形成された取付部であることを特徴とする請求項１または２に記載の外装ケース。
【請求項５】
前記第１板部材は前記外装ケースの背面板であり、前記第２板部材は前記外装ケースの底面板であり、前記第３板部材は前記外装ケースの側面板であり、
前記第１突出部は、前記背面板と前記側面板を結合する結合部であることを特徴とする請求項２に記載の外装ケース。
【発明の詳細な説明】
【技術分野】
【０００１】
本発明は、給湯装置等の外側を覆って風雨を防ぐための外装ケースに関する。
【背景技術】
【０００２】
従来から、燃焼ガスとの熱交換により湯水を加熱して給湯する給湯装置が広く使用されている。給湯装置には、熱交換器やバーナ等の内蔵機器等が風雨に曝されないように収容すると共に、給湯装置の組み立てを容易にするための外装ケースが備えられている。
【０００３】
一般的な給湯装置の外装ケースは、内蔵機器等を固定する背面板と、天面板と、底面板と、左右の側面板と前面板により略直方体の箱状に形成され、外部配管等と接続するための開口部が底面板等に設けられている。給湯装置の組み立ての際には、天面板及び左右の側面板が結合された背面板を床面側にして作業台等に載置した状態で内蔵機器等を取り付ける。その後、配管等が取り付けられた底面板を背面板及び左右の側面板に結合させて内蔵機器等と配管等を接続し、最後に前面板を取り付ける。こうして組み立てられた給湯装置は底面板を床面側にして建物の壁面等に取り付けられる。
【０００４】
例えば、特許文献１の給湯装置の外装ケースに相当する筐体は、背面板及び左右の側面板に相当するバックカバーの下端部にフランジ部を備え、底面板を筐体の外側からフランジ部に当接させた状態でビス等により締結するように構成されている。また、特許文献２の給湯装置の外装ケースに相当する外胴では、外胴下部を密閉状にするためにパッキング部材を配設し、外胴の左右下端部に設けられたレール部に底面板に相当する基板を摺動係止させてパッキング部材に当接させた状態で、前面板を取り付けて底面板を抜き出せないように規制している。
【先行技術文献】
【特許文献】
【０００５】
【特許文献１】特許第４３１７３９３号公報
【特許文献２】実公昭５９−１１３２７号公報
【発明の概要】
【発明が解決しようとする課題】
【０００６】
このような外装ケースにおいて底面板をビス等により取り付ける場合に、特許文献１の給湯装置の外装ケースでは、底面板が外装ケース外側に倒れないように支え且つ底面板を取り付ける位置調整をしながらビス等の締結を行う必要がある。そのため、一方の手で底面板を支持して他方の手で締結作業を行うことになり、作業性がよくないため生産性が低下する。また、特許文献２の給湯装置の外装ケースでは基板を手で支持する必要はないが、左右の側面板にレール部を形成して底面板がレール部に隙間なく収容されるように精密な加工を必要とするため製作コストが上昇する。
【０００７】
本発明の目的は、生産性を向上させ且つ製作コストの上昇を抑えることが可能な外装ケースを提供することである。
【課題を解決するための手段】
【０００８】
第１の発明は、矩形状の第１板部材と、複数の締結部材により前記第１板部材に結合された矩形状の第２板部材を有する外装ケースにおいて、前記第１板部材は、一端部に前記第２板部材を結合するための前記外装ケース内側方向に突出する第１フランジ部と第１突出部を有し、前記第１突出部は、前記第１フランジ部近傍において前記第１フランジ部が突出する方向に突出し、前記第２板部材の一端部は、前記第１フランジ部と前記第１突出部の間に前記第１フランジ部と平行状に配設され、且つ前記第１突出部近傍に前記第１突出部側に突出する第２突出部を有し、前記第１フランジ部側から前記締結部材を挿通させて前記第１フランジ部に前記第２板部材を結合するときに、前記第２突出部が前記第１突出部に当接することより前記第２板部材の前記外装ケース内側方向への移動が規制されることを特徴としている。
【０００９】
上記構成によれば、第１板部材に第２板部材を結合させるときに、第２板部材一端部の外装ケース内側方向への移動が第１，第２突出部により規制される。そのため、第１板部材に第２板部材を締結部材により結合するときの作業性が向上するので、生産性を向上させることができる。
【００１０】
第２の発明は、第１の発明において、前記第１板部材は、前記第１，第２板部材と夫々直交するように設けられた矩形状の第３板部材を有し、前記第３板部材は、その一端部に前記第２板部材と結合するための前記外装ケース内側方向に突出する第２フランジ部を有し、前記第２板部材の前記外装ケースの外側面部に取付金具片が装着されて前記第２板部材と前記取付金具片により前記第２フランジ部が挟持され、前記第２フランジ部側から前記締結部材を挿通させて前記第２フランジ部に前記第２板部材を結合するときに、前記第２フランジ部が挟持されたことにより前記第２板部材の前記外装ケース内側方向への移動が規制されることを特徴としている。
【００１１】
上記構成によれば、第２板部材の外装ケース内側方向への移動が第２フランジ部を挟持する第２板部及び取付金具片により規制される。そのため、第３板部材に第２板部材を締結部材により結合するときの作業性が向上するので、生産性を向上させることができる。
【００１２】
第３の発明は、第１または第２の発明において、前記第１突出部は、前記外装ケース外側において前記第１板部材に他の部材を取り付けるための締結部材であることを特徴としている。
【００１３】
上記構成によれば、第１板部材に他の部材を取り付ける締結部材を第１突出部として利用して専用部材を別途設ける必要がないので、製作コストの上昇を抑えることができる。
【００１４】
第４の発明は、第１または第２の発明において、前記第１突出部は、前記外装ケース内側において前記第１板部材に他の部材を取り付けるために、前記外装ケース内側に突出するように前記第１板部材と一体形成された取付部であることを特徴としている。
【００１５】
上記構成によれば、第１板部材に他の部材を取り付けるための取付部を第１突出部として利用して別途専用部材を設ける必要がないので、製作コストの上昇を抑えることができる。
【００１６】
第５の発明は、第２の発明において、前記第１板部材は前記外装ケースの背面板であり、前記第２板部材は前記外装ケースの底面板であり、前記第３板部材は前記外装ケースの側面板であり、前記第１突出部は、前記背面板と前記側面板を結合する結合部であることを特徴としている。
【００１７】
上記構成によれば、背面板と側面板の結合部を第１突出部として利用して別途専用部材を設ける必要がないので、製作コストの上昇を抑えることができる。
【発明の効果】
【００１８】
本発明によれば、生産性を向上させ且つ製作コストの上昇を抑えることが可能な外装ケースを提供することができる。
【図面の簡単な説明】
【００１９】
【図１】本発明の実施例１に係る外装ケースの斜視図である。
【図２】外装ケース正面図である。
【図３】外装ケース右側面図である。
【図４】図２のIV−IV線断面図である。
【図５】図３のV −V 線断面図である。
【図６】図２のVI−VI線断面図である。
【図７】図２のVII −VII 線断面図である。
【発明を実施するための形態】
【００２０】
以下、本発明を実施するための形態について実施例に基づいて説明する。尚、図中の矢印Ｕは外装ケースの上方を、矢印Ｆは外装ケースの前方を、矢印Ｌは外装ケースの左方を示す。
【実施例１】
【００２１】
最初に、外装ケースＣの全体構成について説明する。
図１〜図３に示すように、外装ケースＣは略直方体の箱状に形成され、内蔵機器等を取り付ける矩形状の背面板１（第１板部材）と、背面板１に結合される矩形状の天面板２、矩形状の右側面板３及び矩形状の左側面板４と、背面板１、右側面板３及び左側面板４に結合される矩形状の底面板５（第２板部材）と、図示を省略するが天面板２及び底面板５に結合される矩形状の前面板を有する。背面板１は内蔵機器等の重量による変形を防ぐために、外周に沿って枠状に形成された段押し部１ａを備えている。外装ケースＣは略左右対称構造であるため、以下では主に外装ケースＣの右側について説明し、左側の説明を省略する。
【００２２】
天面板２及び天面板２右端部に連なる右側面板３（第３板部材）は、矩形状の背面板１の外縁部に沿うように矩形状の板部材が折り曲げられて形成されている。図示を省略するが、天面板２後端部及び右側面板３後端部は、背面板１と結合するために段押し部１ａに後方から当接するフランジ部を夫々備えている。夫々のフランジ部と段押し部１ａに対して、複数箇所でかしめることにより、背面板１と天面板２及び右側面板３を結合している。例えば、背面板１の右下部分の平面視円形状の結合部１ｂは、背面板１から前方に（外装ケースＣ内側に）４〜８ｍｍ程度突出しており、他の結合部も同様に前方に突出している。
【００２３】
次に背面板１について説明する。
図１〜３に示すように、背面板１には、内蔵機器等を取り付けるための平面視円形の取付部１ｃ等が前方に４〜８ｍｍ程度突出するように背面板１と一体的に複数形成されている。また、図４に示すように、背面板１の一端部である下端部には、底面板５を取り付けるために前方に（外装ケースＣ内側方向に）突出する第１フランジ部１ｄを備えている。図示を省略するが、内蔵機器等はタッピングビス等の締結部材により取付部１ｃ等に締結固定される。
【００２４】
図１〜３に示すように、背面板１上下両端部分において外装ケースＣ外側の面部には、建物壁部等に外装ケースＣを固定するための上下１対の壁掛金具７，８が夫々複数のビス等である締結部材１１，１２により取り付けられている。これら締結部材１１，１２は、壁掛金具７，８の後方から前方に向かって挿通され、例えば締結部材１２は、第１フランジ部１ｄ近傍において前方に（外装ケースＣ内側に）突出している。本実施例においては、この締結部材１２が第１突出部に相当する。
【００２５】
次に、天面板２及び右側面板３について説明する。
天面板２の前端部中央部分には、外装ケースＣを建物のパイプシャフト室等にビス等により取り付けるための上取付金具片２ａが設けられ、上取付金具片２ａ右側の天面板２前端部分には、前面板をビス等により取り付けるための右上前面板取付金具２ｂを備えている。図５に示すように、右側面板３には、下端部が左方に突出する第２フランジ部３ａが形成され、この第２フランジ部３ａに底面板５を結合する。
【００２６】
次に底面板５について説明する。
底面板５は、図１〜図５に示すように、前端部に前面板を取り付けるための第３フランジ部５ａを備え、後端部には締結部材１２に対応する位置に上方に（締結部材１２側に）突出する第２突出部５ｂを備えている。第２突出部５ｂは、底面板５の後端部を切り起こして形成するが、切り起こした部分に板状または管状の部材を装着して上方に延長してもよく、底面板５の後端部を切り起こさずに上方に延びるように他の部材を装着して形成することもできる。また、底面板５は、背面板１に取り付けられる内蔵機器等と接続する配管等を挿通するための開口部５ｃ等を有している。
【００２７】
底面板５は、背面板１下端部の第１フランジ部１ｄ及び右側面板３の第２フランジ部３ａに外装ケースＣ内側から当接し、外装ケースＣ外側から内側に向かって挿通される締結部材１３ａ〜１３ｅ等複数の締結部材により背面板１及び右側面板３に結合されている。また、底面板５下面前端側の右端部分には、パイプシャフト室等に外装ケースＣを固定するための右下取付金具片１５（取付金具片）が装着されている。
【００２８】
右下取付金具片１５は、底面板５下面側に（外装ケースＣ外側に）ビス等により締結固定される金具片取付部１５ａと、金具片取付部１５ａの後端部から下方に延びてパイプシャフト室等にビス等により固定するための固定部１５ｂを備えている。金具片取付部１５ａと固定部１５ｂは、夫々締結部材を挿通するための複数（例えば２つ）の挿通孔を備えている。
【００２９】
金具片取付部１５ａの中央寄りの挿通孔１５ａ１は、底面板５に設けられた下方に膨出する膨出部５ｅに、下方から上方に向かって挿通する締結部材１５ｃにより固定されている。金具片取付部１５ａの右側の挿通孔１５ａ２近傍は、底面板５との間に隙間をあけて対向している。この隙間に右側面板３の第２フランジ部３ａを配置して、右下取付金具片１５と底面板５が第２フランジ部３ａを挟持した状態で右側の挿通孔１５ａ２に下方から上方に向かって挿通する締結部材１３ｅにより固定されている。  
【００３０】
次に、実施例１に係る本発明の外装ケースＣの作用、効果ついて説明する。
背面板１に天面板２と右側面板３等が結合された外装ケースＣにおいて、背面板１を床面側にして作業台等に載置し、内蔵機器等を取り付ける。底面板５は、その開口部５ｃ等に内蔵機器等と接続するための配管等を取り付けた状態で、背面板１に取り付けられる。
【００３１】
まず、底面板５を外装ケースＣの前方から背面板１に向かって移動させ、図４，図５に示すように、背面板１の第１フランジ部１ｄと第１突出部に相当する締結部材１２の間に底面板５後端部を第１フランジ部１ｄと平行状に配設する。これと同時に、底面板５前端部の右端部分に装着された右下取付金具片１５と底面板５とで右側面板３下端部の第２フランジ部３ａを挟持させる。このとき底面板５の第２突出部５ｂは締結部材１２近傍で締結部材１２側に突出する。
【００３２】
次に、背面板１の第１フランジ部１ｄ側から外装ケースＣ内側に（外装ケースＣの下方から上方に）向かう方向に複数のタッピングビス等の締結部材１３ａ，１３ｂ等を挿通して締結することにより、第１フランジ部１ｄと底面板５後端部を結合する。また、右側面板３の第２フランジ部３ａ側から外装ケースＣ内側に向かう方向に複数のタッピングビス等の締結部材１３ｃ〜１３ｅにより第２フランジ部３ａと底面板５の右側端部を結合する。
【００３３】
このとき、締結部材１３ａ〜１３ｅの挿通により、底面板５を外装ケースＣ内側方向に移動させる方向に力が働くが、底面板５後端部の第２突出部５ｂが背面板１の第１突出部である締結部材１２に当接してその移動が規制される。また、底面板５前端部の右端部分の右下取付金具片１５と底面板５により第２フランジ部３ａが挟持されることにより、締結部材１３ａ〜１３ｅ締結時の底面板５の移動や外装ケース外側への倒伏が規制され、締結位置の調整も容易である。
【００３４】
外装ケースＣは略左右対称構造なので、底面板５の左側部分においても同様に移動や倒伏が規制される。従って、作業者が手で支持することなく底面板５の移動が規制されて結合するときの作業性が向上するので、生産性が向上する。また、底面板５の移動を規制する専用部材を必要としないので、製作コストの上昇を抑えることができる。
【実施例２】
【００３５】
実施例２の外装ケースＣは、下側の壁掛金具８を固定するための締結部材１２に代えて、背面板１に一体形成された内蔵機器等の取付部１ｃを第１突出部として利用するものである。背面板１の第１フランジ部１ｄや右側面板３の第２フランジ部３ａ、底面板５前端部の右下取付金具片１５等の構成は、外装ケースＣが左右対称構造であることも含めて実施例１と同様であるため、実施例１と同じ符号を付してそれらの説明を省略する。
【００３６】
図６に示すように、取付部１ｃは、第１フランジ部１ｄの近傍において背面板１から前方に（外装ケースＣ内側方向に）突出している。また、取付部１ｃ近傍の底面板５後端部には、取付部１ｃ側に突出する第２突出部５ｂが設けられている。底面板５後端部を第１フランジ部１ｄと取付部１ｃの間に配置し、締結部材１３ｃ等を第１フランジ部１ｄ側から外装ケースＣ内側に向かって挿通させる際に、底面板５を外装ケースＣ内側方向に移動させる方向に力が働く。
【００３７】
このとき、底面板５後端部に設けられた第２突出部５ｂが取付部１ｃに当接するので、底面板５後端部の移動が規制される。底面板５の前端部は、右側面板３下端部の第２フランジ部３ａが右下取付金具片１５と底面板５に挟持されて移動や倒伏が規制される。従って、作業者が手で支持することなく底面板５の移動が規制されて結合するときの作業性が向上するので、生産性が向上する。また、底面板５の移動を規制する専用部材を必要としないので、製作コストの上昇を抑えることができる。
【実施例３】
【００３８】
実施例３の外装ケースＣは、実施例１の下側の壁掛金具８を固定するための締結部材１２に代えて、背面板１と右側面板３をかしめて結合した結合部１ｂを第１突出部として利用するものである。背面板１の第１フランジ部１ｄや右側面板３の第２フランジ部３ａ、底面板５前端部の右下取付金具片１５等の構成は、外装ケースＣが左右対称構造であることも含めて実施例１と同様であるため、実施例１と同じ符号を付して説明を省略する。
【００３９】
背面板１に枠状に形成された段押し部１ａと右側面板３及び天面板２の後端部に設けられたフランジ部を当接させた状態で、所定の複数箇所をかしめることにより背面板１から前方に（外装ケースＣ内側方向に）突出した結合部１ｂ等が複数形成され、背面板１と右側面板３及び天面板２が結合される。これらの結合部のうち、第１フランジ部近傍の結合部１ｂを第１突出部として利用する。また、結合部１ｂ近傍の底面板５後端部には、結合部１ｂ側に突出する第２突出部５ｂが設けられている。
【００４０】
図７に示すように、結合部１ｂは、第１フランジ部１ｄの近傍において背面板１から前方に突出している。底面板５後端部を第１フランジ部１ｄと結合部１ｂの間に配置して、締結部材１３ｃ等を第１フランジ部１ｄ側から外装ケースＣ内側に（下方から上方に）向かって挿通させる際には、底面板５を外装ケースＣ内側方向に移動させる方向に力が働く。
【００４１】
このとき、底面板５後端部に設けられた第２突出部５ｂが結合部１ｂに当接するので、底面板５後端部の移動が規制される。底面板５の前端部は、右側面板３下端部の第２フランジ部３ａが右下取付金具片１５と底面板５に挟持されて移動や倒伏が規制される。従って、作業者が手で支持することなく底面板５の移動が規制されて結合するときの作業性が向上するので、生産性が向上する。また、底面板５の移動を規制する専用部材を必要としないので、製作コストの上昇を抑えることができる。
【００４２】
上記実施例で説明した外装ケースＣは、第１〜第３板部材が夫々背面板、底面板、右側面板であるが、これに限定する必要はなく、外装ケースを構成する板部材を適宜第１〜第３板部材に相当させてもよい。また、給湯装置以外の外装ケースに適用することもできる。その他、当業者であれば、本発明の趣旨を逸脱することなく、前記実施形態に種々の変更を付加した形態で実施可能であり、本発明はそのような変更形態を包含するものである。
【符号の説明】
【００４３】
１      背面板（第１板部材）
１ｂ    結合部
１ｃ    取付部
１ｄ    第１フランジ部
２      天面板
３      右側面板（第３板部材）
３ａ    第２フランジ部
５      底面板（第２板部材）
５ｂ    第２突出部
５ｅ    膨出部
１２    締結部材（第１突出部）
１３ａ〜１３ｅ  締結部材
１５    右下取付金具片（取付金具片）
Ｃ      外装ケース
【図１】
2018071817.tif 000003
【図２】
2018071817.tif 000004
【図３】
2018071817.tif 000005
【図４】
2018071817.tif 000006
【図５】
2018071817.tif 000007
【図６】
2018071817.tif 000008
【図７】
2018071817.tif 000009